(57)【特許請求の範囲】
【請求項１】
送信と受信とが同時行われていると通信者に認識させる程度の短い周期で電波の送信および受信を高速に切り替えることにより送受信時分割通信を行い、
前記送受信時分割通信期間には、電波送信時にＬＥＤを消灯し、電波受信時に該ＬＥＤを点灯することにより、該ＬＥＤが連続的に点灯していると視認される程に短い周期で該ＬＥＤを点滅させ、
前記電波受信時に該ＬＥＤに流す電流を、該ＬＥＤを連続的に点灯するときに該ＬＥＤに流すべき電流よりも大きくすることにより、該ＬＥＤを連続的に点灯したときにおける該ＬＥＤと同程度の輝度を感じさせ、
前記ＬＥＤの点灯と消灯とを制御する点灯制御回路を有し、
前記点灯制御回路は、前記ＬＥＤに直列に接続されたスイッチ回路と、該スイッチ回路のＯＮとＯＦＦとを制御するスイッチＯＮ／ＯＦＦ制御回路とでなり、
前記スイッチＯＮ／ＯＦＦ制御回路は、前記送受信時分割通信期間における前記受信時を表す信号がある時だけに前記スイッチ回路をＯＮにし、
前記スイッチ回路は第１のトランジスタでなり、
前記スイッチＯＮ／ＯＦＦ制御回路は、前記送受信時分割通信期間における前記送信時を表す送信ＯＮ信号を反転することにより、前記受信時を表す信号を生成する反転回路と、該反転回路の出力により前記第１のトランジスタをＯＮにする第１のトランジスタ制御回路とからなる
ことを特徴とする無線通信端末。
【請求項２】
ＵＳＢ規格その他の電流容量が規定されている規格のインタフェースに接続され、該インタフェースを電源とすることを特徴とする請求項１に記載の無線通信端末。
【請求項３】
前記ＬＥＤの輝度を制御する輝度制御回路を有し、
前記輝度制御回路は、前記ＬＥＤに流れる電流を第１及び第２の流路に分流する並列回路と、前記第２の流路のインピーダンスを制御するインピーダンス制御回路とを備えてなり、
前記インピーダンス制御回路は、前記第２の流路のインピーダンスを、前記送受信時分割通信期間における前記受信時には、該送受信時分割通信期間における前記送信時より減少させる
ことを特徴とする請求項１又は２に記載の無線通信端末。
【請求項４】
送信と受信とが同時行われていると通信者に認識させる程度の短い周期で電波の送信および受信を高速に切り替えることにより送受信時分割通信を行い、
前記送受信時分割通信期間には、電波送信時にＬＥＤを消灯し、電波受信時に該ＬＥＤを点灯することにより、該ＬＥＤが連続的に点灯していると視認される程に短い周期で該ＬＥＤを点滅させ、
前記電波受信時に該ＬＥＤに流す電流を、該ＬＥＤを連続的に点灯するときに該ＬＥＤに流すべき電流よりも大きくすることにより、該ＬＥＤを連続的に点灯したときにおける該ＬＥＤと同程度の輝度を感じさせ、
前記ＬＥＤの輝度を制御する輝度制御回路を有し、
前記輝度制御回路は、前記ＬＥＤに流れる電流を第１及び第２の流路に分流する並列回路と、前記第２の流路のインピーダンスを制御するインピーダンス制御回路とを備えてなり、
前記インピーダンス制御回路は、前記第２の流路のインピーダンスを、前記送受信時分割通信期間における前記受信時には、該送受信時分割通信期間における前記送信時より減少させる
ことを特徴とする無線通信端末。
【請求項５】
前記第１の流路は第１の抵抗でなり、
前記第２の流路は第の２抵抗と第２のトランジスタとの直列回路でなり、
前記インピーダンス制御回路は、前記送受信時分割通信期間における前記受信時を表す信号がある時だけに前記第２のトランジスタを同通させる
ことを特徴とする請求項３又は４に記載の無線通信端末。
【請求項６】
送信と受信とが同時行われていると通信者に認識させる程度の短い周期で電波の送信および受信を高速に切り替えることにより送受信時分割通信を行う無線通信端末における最大消費電流を低減する回路であって、
前記送受信時分割通信期間には、電波送信時にＬＥＤを消灯し、電波受信時に該ＬＥＤを点灯することにより、該ＬＥＤが連続的に点灯していると視認される程に短い周期で該ＬＥＤを点滅させ、
前記電波受信時に該ＬＥＤに流す電流を、該ＬＥＤを連続的に点灯するときに該ＬＥＤに流すべき電流よりも大きくすることにより、該ＬＥＤを連続的に点灯したときにおける該ＬＥＤと同程度の輝度を感じさせ、
前記ＬＥＤの点灯と消灯とを制御する点灯制御回路を有し、
前記点灯制御回路は、前記ＬＥＤに直列に接続されたスイッチ回路と、該スイッチ回路のＯＮとＯＦＦとを制御するスイッチＯＮ／ＯＦＦ制御回路とでなり、
前記スイッチＯＮ／ＯＦＦ制御回路は、前記送受信時分割通信期間における前記受信時を表す信号がある時だけに前記スイッチ回路をＯＮにし、
前記スイッチ回路は第１のトランジスタでなり、
前記スイッチＯＮ／ＯＦＦ制御回路は、前記送受信時分割通信期間における前記送信時を表す送信ＯＮ信号を反転することにより、前記受信時を表す信号を生成する反転回路と、該反転回路の出力により前記第１のトランジスタをＯＮにする第１のトランジスタ制御回路とからなる
ことを特徴とする最大消費電流低減回路。
【請求項７】
送信と受信とが同時行われていると通信者に認識させる程度の短い周期で電波の送信および受信を高速に切り替えることにより送受信時分割通信を行い、
前記送受信時分割通信期間には、電波送信時にＬＥＤを消灯し、電波受信時に該ＬＥＤを点灯することにより、該ＬＥＤが連続的に点灯していると視認される程に短い周期で該ＬＥＤを点滅させ、
前記電波受信時に該ＬＥＤに流す電流を、該ＬＥＤを連続的に点灯するときに該ＬＥＤに流すべき電流よりも大きくすることにより、該ＬＥＤを連続的に点灯したときにおける該ＬＥＤと同程度の輝度を感じさせ、
前記ＬＥＤの輝度を制御する輝度制御回路を有し、
前記輝度制御回路は、前記ＬＥＤに流れる電流を第１及び第２の流路に分流する並列回路と、前記第２の流路のインピーダンスを制御するインピーダンス制御回路とを備えてなり、
前記インピーダンス制御回路は、前記第２の流路のインピーダンスを、前記送受信時分割通信期間における前記受信時には、該送受信時分割通信期間における前記送信時より減少させる
ことを特徴とする最大消費電流低減回路。
【請求項８】
送信と受信とが同時行われていると通信者に認識させる程度の短い周期で電波の送信および受信を高速に切り替えることにより送受信時分割通信を行う無線通信端末における最大消費電流を低減する方法であって、
前記送受信時分割通信期間には、電波送信時にＬＥＤを消灯し、電波受信時に該ＬＥＤを点灯することにより、該ＬＥＤが連続的に点灯していると視認される程に短い周期で該ＬＥＤを点滅させ、
前記電波受信時に該ＬＥＤに流す電流を、該ＬＥＤを連続的に点灯するときに該ＬＥＤに流すべき電流よりも大きくすることにより、該ＬＥＤを連続的に点灯したときにおける該ＬＥＤと同程度の輝度を感じさせ、
前記無線通信端末は、前記ＬＥＤの点灯と消灯とを制御する点灯制御回路を有し、
前記点灯制御回路は、前記ＬＥＤに直列に接続されたスイッチ回路と、該スイッチ回路のＯＮとＯＦＦとを制御するスイッチＯＮ／ＯＦＦ制御回路とでなり、
前記スイッチＯＮ／ＯＦＦ制御回路は、前記送受信時分割通信期間における前記受信時を表す信号がある時だけに前記スイッチ回路をＯＮにし、
前記スイッチ回路は第１のトランジスタでなり、
前記スイッチＯＮ／ＯＦＦ制御回路は、前記送受信時分割通信期間における前記送信時を表す送信ＯＮ信号を反転することにより、前記受信時を表す信号を生成する反転回路と、該反転回路の出力により前記第１のトランジスタをＯＮにする
ことを特徴とする最大消費電流低減方法。
【請求項９】
送信と受信とが同時行われていると通信者に認識させる程度の短い周期で電波の送信および受信を高速に切り替えることにより送受信時分割通信を行い、
前記送受信時分割通信期間には、電波送信時にＬＥＤを消灯し、電波受信時に該ＬＥＤを点灯することにより、該ＬＥＤが連続的に点灯していると視認される程に短い周期で該ＬＥＤを点滅させ、
前記電波受信時に該ＬＥＤに流す電流を、該ＬＥＤを連続的に点灯するときに該ＬＥＤに流すべき電流よりも大きくすることにより、該ＬＥＤを連続的に点灯したときにおける該ＬＥＤと同程度の輝度を感じさせ、
無線通信端末は、  前記ＬＥＤの輝度を制御する輝度制御回路を有し、
前記輝度制御回路は、前記ＬＥＤに流れる電流を第１及び第２の流路に分流する並列回路と、前記第２の流路のインピーダンスを制御するインピーダンス制御回路とを備えてなり、
前記インピーダンス制御回路は、前記第２の流路のインピーダンスを、前記送受信時分割通信期間における前記受信時には、該送受信時分割通信期間における前記送信時より減少させる
ことを特徴とする最大消費電流低減方法。
【請求項１０】
請求項８又は９に記載の最大消費電流低減方法を、コンピュータによって実行可能なプログラムとして実施することを特徴とする最大消費電流低減プログラム。
【発明の詳細な説明】
【技術分野】
【０００１】
本発明は、電波の送信および受信を高速に繰り返すことにより時分割で送受信を行う無線通信端末、この無線通信端末に備えられる最大消費電流低減回路および方法並びに最大消費電流低減プログラムに関し、特にＵＳＢ規格その他の電流容量が規定されている規格のインタフェースに接続され、該インタフェースを電源とする無線通信端末に適用されて好適である。
に関する。
【背景技術】
【０００２】
パーソナルコンピュータのＵＳＢコネクタに接続されるＬＡＮカード等の無線通信端末はそのＵＳＢコネクタから電源の供給を受けている。このような無線通信端末では、送信と受信とが同時行われていると通信者に認識させる程度の短い周期で電波の送信および受信を高速に切り替える送受信時分割通信方式が採用されることが多い。例えば、ＸＧＰ（eXtended Global Platform）による電波の送受信方式では、2.5msの送信、2.5msの受信を１周期（5ms）として送受を高速に繰り返し、送信と受信とが同時行われていると通信者に認識させている。ここで通信者とは、無線通信端末付きのパーソナルコンピュータを利用して、電話通信やデータ通信を行っている人である。
【０００３】
これら無線通信端末には、電源の供給を受けているか否か、受信信号レベルが所定の閾値を超えているか否か等、無線通信端末に関する何らかの状況を表示するためにＬＥＤ（発光ダイオード）が搭載されていることが多い。
【０００４】
ＵＳＢコネクタから供給を受けられる電流容量は、ＵＳＢインタフェース規格により予め規定されている。他方、ＵＳＢコネクタに接続される無線通信端末では、近年通信速度の高速化が一層進み、それに伴って所要電流が増大している。そこで、ＵＳＢコネクタに接続される無線通信端末の最大消費電流をＵＳＢインタフェース規格以内に抑制するための技術が求められている。
【０００５】
特許文献１（特開２００７−３２９５５７）の段落００５２−００５９、図３、図４、要約にはデジタルカメラの消費電流を抑制するために、無線通信による画像データの送信中は、ＬＣＤを照明するバックライトを消灯する表示装置付き情報端末が開示されている。また、この特許文献１の技術では、無線通信中にキャンセルボタンが押下されたときには、無線通信を中断して画像データの送信を一時停止し、ＬＣＤ照明用バックライトを点灯して、ＬＣＤに送信経過状況を表示することが記載されている。
【先行技術文献】
【特許文献】
【０００６】
【特許文献１】特開２００７−３２９５５７（段落００５２−００５９、図３、図４、要約）
【発明の概要】
【発明が解決しようとする課題】
【０００７】
上述のＬＡＮカード等の無線通信端末では、通信者は、ＬＥＤの表示を視認することにより、電源の有無、受信電波強度が閾値を越えているか否かなど無線通信端末に関する状況を確認しながら、送受信時分割通信方式による通信を行う。従って、ＬＡＮカード等の無線通信端末では、無線通信端末に関する状況の確認を放棄することなく、即ちＬＥＤの点灯を確認しながら、通信ができ、しかも最大消費電流がＵＳＢインタフェース規格を満たすことが求められる。
【０００８】
上述の特許文献１に示された表示装置付き情報端末では、ＬＣＤ用バックライトを消灯するか、または無線通信を中断して画像データの送信を一時停止し、ＬＣＤ照明用バックライトを点灯して、ＬＣＤに送信経過状況を表示するかの何れかが選択されることにより、消費電流を抑制している。そこで、ＬＡＮカード等の無線通信端末に特許文献１の技術を適用しても、ＬＥＤの点灯を確認しながら、通信ができ、しかもＵＳＢインタフェース規格を満たすように最大消費電流を抑制することはできない。
【０００９】
以上では無線通信端末の例として、ＬＡＮカードを挙げたが、ＬＡＮカードに限らず、高速パケット通信規格のHSPA(High Speed Packet Access)、無線通信規格のWi MAX(Worldwide Interoperability for Microwave Access)、携帯電話の通信規格LTE(Long Term Evolution)といった各種の無線通信規格を採用した無線通信端末についても、ＬＡＮカードと同様に、ＬＥＤの点灯を確認しながら、通信ができ、しかもＵＳＢインタフェース規格を満たすように最大消費電流を抑制することはできる技術が求められている。また、ＵＳＢインタフェース規格に限られず、電流容量が規定されているインタフェースに接続されるときは、無線通信端末におけるＬＥＤの点灯を確認しながら、通信ができ、しかもそのインタフェースの規格を満たすように最大消費電流を抑制することはできる技術が求められている。
【００１０】
（本発明の目的）
本発明は、かかる事情に鑑みてなされたものであり、適正な輝度でＬＥＤを発光させながら通信でき、しかもＬＥＤの消費電流が最大消費電流の増大をもたらさない無線通信端末、最大消費電流低減回路および方法並びに最大消費電流低減プログラムの提供を目的とする。
【課題を解決するための手段】
【００１１】
前述の課題を解決するため、本発明による無線通信端末、最大消費電流低減回路および方法並びに最大消費電流低減プログラムは、主に、次のような特徴的な構成を採用している。
【００１２】
（１）本発明による無線通信端末は、
送信と受信とが同時行われていると通信者に認識させる程度の短い周期で電波の送信および受信を高速に切り替えることにより送受信時分割通信を行い、
前記送受信時分割通信期間には、電波送信時にＬＥＤを消灯し、電波受信時に該ＬＥＤを点灯することにより、該ＬＥＤが連続的に点灯していると視認される程に短い周期で該ＬＥＤを点滅させ、
前記電波受信時に該ＬＥＤに流す電流を、該ＬＥＤを連続的に点灯するときに該ＬＥＤに流すべき電流よりも大きくすることにより、該ＬＥＤを連続的に点灯したときにおける該ＬＥＤと同程度の輝度を感じさせる
ことを特徴とする。
（２）本発明によるは、最大消費電流低減回路は、
送信と受信とが同時行われていると通信者に認識させる程度の短い周期で電波の送信および受信を高速に切り替えることにより送受信時分割通信を行う無線通信端末における最大消費電流を低減する回路であって、
前記送受信時分割通信期間には、電波送信時にＬＥＤを消灯し、電波受信時に該ＬＥＤを点灯することにより、該ＬＥＤが連続的に点灯していると視認される程に短い周期で該ＬＥＤを点滅させ、
前記電波受信時に該ＬＥＤに流す電流を、該ＬＥＤを連続的に点灯するときに該ＬＥＤに流すべき電流よりも大きくすることにより、該ＬＥＤを連続的に点灯したときにおける該ＬＥＤと同程度の輝度を感じさせる
ことを特徴とする。
（３）本発明による最大消費電流低減方法は、
送信と受信とが同時行われていると通信者に認識させる程度の短い周期で電波の送信および受信を高速に切り替えることにより送受信時分割通信を行う無線通信端末における最大消費電流を低減する方法であって、
前記送受信時分割通信期間には、電波送信時にＬＥＤを消灯し、電波受信時に該ＬＥＤを点灯することにより、該ＬＥＤが連続的に点灯していると視認される程に短い周期で該ＬＥＤを点滅させ、
前記電波受信時に該ＬＥＤに流す電流を、該ＬＥＤを連続的に点灯するときに該ＬＥＤに流すべき電流よりも大きくすることにより、該ＬＥＤを連続的に点灯したときにおける該ＬＥＤと同程度の輝度を感じさせる
ことを特徴とする。
（４）本発明による最大消費電流低減プログラムは、上記（３）に記載の最大消費電流低減方法を、コンピュータによって実行可能なプログラムとして実施することを特徴とする。
【発明の効果】
【００１３】
本発明の無線通信端末、最大消費電流低減回路および方法並びに最大消費電流低減プログラムによれば、適正な輝度でＬＥＤを発光させながら通信でき、しかもＬＥＤの消費電流が最大消費電流を押し上げることがない。
ＬＥＤの点灯を確認しながら、通信ができ、しかも最大消費電流を抑制できる。
【図面の簡単な説明】
【００１４】
【図１】本発明に係る無線通信端末におけるＬＥＤ点灯制御回路を示す回路図である。
【図２】図１の回路における各部の信号の例を示す波形図である。
【発明を実施するための形態】
【００１５】
以下、本発明による無線通信端末、最大消費電流低減回路および方法の好適な実施形態について添付図を参照して説明する。なお、以下の説明においては、本発明による        無線通信端末、最大消費電流低減回路および方法について主に説明するが、かかる        方法をコンピュータにより実行可能な最大消費電流低減プログラムとして実施するようにしても良いし、あるいは最大消費電流低減プログラムをコンピュータにより読み取り可能な記録媒体に記録するようにしても良いことは言うまでもない。
【００１６】
（本発明の特徴）
本発明の実施形態の説明に先立って、本発明の特徴についてその概要をまず説明する。本発明による無線通信端末は、送信と受信とが同時行われていると通信者に認識させる程度の短い周期で電波の送信および受信を高速に切り替えることにより送受信時分割通信を行い、送受信時分割通信期間には、電波送信時にＬＥＤを消灯し、電波受信時に該ＬＥＤを点灯することにより、該ＬＥＤが連続的に点灯していると視認される程に短い周期で該ＬＥＤを点滅させ、電波受信時に該ＬＥＤに流す電流を、該ＬＥＤを連続的に点灯するときに該ＬＥＤに流すべき電流よりも大きくすることにより、該ＬＥＤを連続的に点灯したときにおける該ＬＥＤと同程度の輝度を感じさせる。
【００１７】
より具体的には、本発明は、ＵＳＢ規格その他の電流容量が規定されている規格のインタフェースに接続され、該インタフェースを電源とする無線通信端末に適用されて好適である。本発明が適用される無線通信端末は、例えば、ＬＡＮカード、HSPA、Wi MAX、LTE(Long Term Evolution)といった各種の無線通信規格を採用した無線通信端末である。
【００１８】
図１は、パーソナルコンピュータのＵＳＢコネクタに接続されたＬＡＮカードにおけるＬＥＤ点灯制御回路を示す回路図であり、図２は図１の回路における各部の信号の例を示す波形図である。ＬＡＮカードは、ＵＳＢコネクタから電源の供給を受けている。ＵＳＢコネクタについては、ＵＳＢインタフェース規格が適用され、電流容量が制限されている。また、このＬＡＮカードが採用している電波の送受信方式は、ＸＧＰ（eXtended Global Platform）であり、2.5ms（ミリ秒）の送信、2.5msの受信を１周期（5ms）として送受を高速に繰り返す。ＸＧＰでは、5msという短い周期で送信と受信とを交互に繰り返す送受信時分割通信を採用してので、電話通信やデータ通信をしている通信者には送信と受信とが同時行われていると認識される。
【００１９】
このＬＡＮカードには、ＵＳＢコネクタから電源の供給を受けているか否か、又は受信電波強度が閾値を越えているか否かを表示するためにＬＥＤが搭載されている。ＬＡＮカード付きのパーソナルコンピュータを利用して通信を行う者は、ＬＥＤの点灯を視認して、ＬＡＮカードが通信可能な条件にあることを確認しながら通信を行う。
【００２０】
ＬＡＮカードにおいて最大電流が消費される時は、送受信時分割通信の際における送信期間の2.5msである。この送信期間には、例えば１ワット程度の電力が消費され、このときＵＳＢコネクタの許容電流に近い電流が消費される。即ち、近年ではＬＡＮカードが高速に通信を行うので、ＬＡＮカード内部におけるＣＰＵや送受信部における電力消費がＵＳＢインタフェース規格における許容電流に非常に近づいている。そこで、ＬＡＮカードにおける電流消費を可能な限界値まで低減する要求が強いという事情がある。
【００２１】
ＬＥＤにおける消費電力は通常数十ｍＷ（ミリワット）であり、このときの消費電流は、例えば２０ｍＡ（ミリアンペア）であり、パワートランジスタを有し、大きな電流を消費する送信部に比べると小さい。それも拘わらず、ＬＥＤの消費電流を低減することは、ＬＡＮカードの消費電流をＵＳＢインタフェース規格における許容電流以下に抑えるという設計上の要求に合致する。
【００２２】
ＬＡＮカードの最大電流消費期間である2.5msの送信期間にＬＥＤを消灯することにより、ＬＡＮカードにおける最大消費電流は低減できる。しかしながら、受信期間2.5msだけに点灯し、次の送信期間2.5msに消灯すると、肉眼には受信期間2.5msにおける輝度の半分程度の輝度として感じられる。そこで、2.5msの受信期間だけに点灯し、2.5msの送信期間に消灯すると、電源の供給や受信電波が閾値を越えていることを確認するためにＬＥＤを見ても、ＬＥＤを連続的に点灯させる場合に比べ、ＬＥＤの輝度が半分程度に低下して目に感じられ、通信者にはＬＥＤが点灯しているのか、消灯しているのかの確認が難しくなる。
【００２３】
ＬＥＤの輝度は、流す電流にほぼ比例する。例えば、２０ｍＡを適正電流とすると、その倍の４０ｍＡを流すと、ＬＥＤの輝度は約１．８倍となる。そこで、本実施の形態では、受信期間（2.5ms）には、連続して点灯させるときにＬＥＤに流すべき適正な大きさの電流として求められる適正電流値の倍程度の大きい電流をＬＥＤに流し、受信期間のＬＥＤをその適正電流値のときの輝度の倍程度の高い輝度で発光させる。ＬＥＤの寿命はほぼ電流の二乗に反比例する。しかし、ＬＥＤの寿命は、例えばＧａＮ  ＬＥＤでは、適正電流を流したときの輝度半減寿命は約１０万時間といわれているので、電流を２倍流したとしても輝度半減寿命２．５万時間であり、実用上支障はない。ＬＥＤの寿命は接合部の絶対温度の逆数に比例するので、温度の上昇により寿命が急激に短くなる恐れがあるが、点灯時間は総使用時間の５０パーセントであるから、電流を適正電流の２倍流したとしてもＬＥＤの温度が急激に上昇し、電流の増大による影響以上に、温度上昇により寿命の低下を招く恐れは少ない。
【００２４】
再び、図１および図２を参照し、本実施の形態の構成および作動を詳しく説明する。図１において、Ｎ１は反転回路（ノット回路）、Ａ１及びＡ２はアンド回路、Ｔｒ１及びＴｒ２はＭＯＳトランジスタ、Ｒ１及びＲ２は抵抗、ＰＳはＵＳＢコネクタから供給される電源である。本実施の形態では、Ｒ１及びＲ２の抵抗値は同じに選んである。
【００２５】
ＬＡＮカードでは、１つのアンテナを送信及び受信に共用するために、送受切替部（図示せず。）を備える。送受切替部は、2.5msの送信期間Ｔ１は、送信部から出力される高電力・高周波の送信信号をアンテナに導き、2.5msの受信期間Ｔ２にはアンテナで受信した微弱な受信信号を受信部に導く。このような送受切替部おける切替の制御は、集積回路（ＩＣ）でなる。送受信切替部を構成するＩＣは、ＢＢＩＣ（ベーシックバンドＩＣ）やＲＦＩＣ（高周波ＩＣ）である。ＢＢＩＣやＲＦＩＣにおいて、送信期間を表す送信ＯＮ信号１０２および受信期間を表す受信ＯＮ信号１０３が生成される。図２（２）送信ＯＮ信号１０２における送信期間Ｔ１に３本の線が描いてあるが、これらの線は３μＳ（マイクロ秒）の時間だけ、送信電波遮断される時間を表す。これら３μＳの送信電波遮断時間により送信期間Ｔ１は４つのタイムスロットに分けられている。同様に、図２（３）の受信ＯＮ信号１０３も４つのタイムスロットに分けられている。また、ＬＡＮカードは、電源ＰＳ供給の有無を検知する電源検知回路（図示せず。）を備える。電源検知回路は、電源ＰＳが供給されているときに高電位になり、電源ＰＳが供給されていないときに低電位になるレベル信号であるＬＥＤＯＮ信号１０１を生成する。
【００２６】
送信ＯＮ信号１０２は反転回路Ｎ１により反転され、アンド回路Ａ１に入力される。アンド回路Ａ１は、反転回路Ｎ１の出力とＬＥＤＯＮ信号１０１信号とのアンド（ＡＮＤ）論理出力を信号１０４としてＭＯＳトランジスタＴｒ１のゲートに供給する。信号１０４が高電位のとき、ＭＯＳトランジスタＴｒ１はＯＮとなる。アンド回路Ａ２は、受信ＯＮ信号１０３とＬＥＤＯＮ信号１０１信号とのアンド（ＡＮＤ）論理出力を信号１０５として、ＭＯＳトランジスタＴｒ２のゲートに入力する。信号１０５は、ＬＥＤＯＮ信号１０１信号が高電位のとき、受信ＯＮ信号１０３と同じである。ＭＯＳトランジスタＴｒ２は、信号１０５が高電位のときＯＮとなる。ＭＯＳトランジスタＴｒ２がＯＮとなるときに、抵抗Ｒ２は抵抗Ｒ１に並列に接続される。
【００２７】
図１の回路において、ＬＥＤに流れる電流１０６は、図２（６）に示す如くであり、送信ＯＮ信号１０２が高電位（論理値"１"）の期間Ｔ１（送信期間）にはＬＥＤには電流は流れない。他方、受信ＯＮ信号１０３が高電位（論理値"１"）の期間Ｔ２（受信期間）には、ＬＥＤの電流１０６は、抵抗Ｒ１及びＲ２の並列回路を通して流れる。抵抗Ｒ１だけがＬＥＤに直列に接続されるときにＬＥＤに流れる電流がそのＬＥＤの適正電流Ｉ１となるように、抵抗Ｒ１の値を設定することにより、受信期間Ｔ２には適正電流Ｉ１の２倍の電流Ｉ２をＬＥＤに流すことができる。そこで、本実施の形態では、受信期間Ｔ２には適正電流Ｉ１の２倍の電流Ｉ２をＬＥＤに流すことにより、受信期間Ｔ２におけるＬＥＤの輝度を、ＬＥＤに適正電流Ｉ１を流すときの約２倍に高めることができる。斯くの如くに、本実施の形態では、送信期間Ｔ１にはＬＥＤに電流を流さず、ＬＥＤを消灯し、受信期間Ｔ２には適正電流Ｉ１の２倍の電流Ｉ２をＬＥＤに流し、適正電流Ｉ１を流すときの約２倍の輝度でＬＥＤを発光させるので、送受信期間の平均の輝度は、適正電流Ｉ１を連続的に流したときとほぼ同じ輝度となり、視覚が感じる輝度は、その平均輝度となる。
【００２８】
送信ＯＮ信号１０２及び受信ＯＮ信号１０３の何れの信号も低電位で、しかもＬＥＤＯＮ信号１０１信号が高電位のとき、即ち図２における時刻ｔ０−ｔ１の間及び時刻ｔ５−ｔ６の間では、信号１０４は高電位であり、ＭＯＳトランジスタＴｒ１はＯＮとなるとともに、他方、信号１０５は低電位であり、ＭＯＳトランジスタＴｒ２がＯＦＦとなるので、ＬＥＤには直列に抵抗Ｒ１だけが挿入され、ＬＥＤには適正電流Ｉ１が流れる。図２では、作図の都合上時刻ｔ０−ｔ１の間及び時刻ｔ５−ｔ６の間は短く描いてあるが、時刻ｔ０−ｔ１の間及び時刻ｔ５−ｔ６の間は、ＬＥＤＯＮ信号１０１信号により任意に選択できる。そこで、電源ＰＳの供給があることを確認できている限りはＬＥＤＯＮ信号１０１信号を高電位にするように前述の電源検知回路を設計することにより、図１のＬＡＮカードにより送受信が行われていないときには、ＬＥＤには適正電流Ｉ１が連続的に流れ、ＬＡＮは連続的に通常の適正な輝度で点灯し続ける。
【００２９】
図１及び図２を参照して説明した上記実施の形態では、送信期間にはＬＥＤに電流を供給しないので、ＬＡＮカードにおける最大電流消費期間である送信期間にはＬＥＤは電流を消費しない。従って、ＬＥＤの発光はＬＡＮカードの最大消費電流を押し上げることにはならない。他方、この実施の形態のＬＡＮカードでは、受信期間には適正電流の２倍の電流をＬＥＤに供給する。従って、受信期間は全送受信期間の半分であるが、受信期間における輝度を適正電流通電時の約２倍に高めてあるので、目に感じる平均輝度は適正電流を連続的にＬＥＤに流したときとほぼ同じである。このように、本実施の形態のＬＡＮカードは、最大消費電流を押し上げることなく、しかも適正電流を流したときとほぼ同じ輝度でＬＥＤを発光できる。
【００３０】
本実施の形態の採用により、ＵＳＢインタフェース規格の最大許容電流で送信をすることができ、しかも、電源ＰＳの供給を表示するＬＥＤ度を、該ＬＥＤを連続的に点灯した場合と同等の輝度で発光することができるので、許容される最大の電力の電波を送信し、一方、見やすい輝度でＬＥＤを発光させることができるＬＡＮカードを得ることができる。このように、本実施の形態を採用すれば、適正な輝度でＬＥＤを発光させながら通信でき、しかもＬＥＤの消費電流が最大消費電流を押し上げることのないＬＡＮカードを提供できる。
【００３１】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることは、当業者には容易に理解できよう。
【００３２】
例えば、無線通信端末がＬＡＮカードである実施の形態を挙げたが、本発明の無線通信端末は、ＬＡＮカードに限られず、HSPA、Wi MAX、LTEといった各種の無線通信規格を採用したものであっても差し支えない。また、実施の形態では、無線通信端末がＵＳＢインタフェース規格のコネクタに接続される例を挙げたが、ＵＳＢインタフェース規格のコネクタに限らず、本発明の無線通信端末は他の規格のインタフェースにも適用できる。
【００３３】
また、上記の実施の形態では、電源ＰＳが供給されているか否かを表示するためにＬＥＤが搭載されているＬＡＮカードについて説明したが、ＬＥＤの点灯／消灯で以ってどのような情報を表示するかは任意である。例えば、受信信号の強度が閾値に達しているか否かを表示する目的でＬＥＤを搭載した無線通信端末にも本発明を適用できることは勿論である。
【符号の説明】
【００３４】
Ａ１，Ａ２      ＡＮＤ回路
ＬＥＤ    発光ダイオード
Ｎ１      反転回路
ＰＳ    電源
Ｒ１，Ｒ２      抵抗
Ｔｒ１，Ｔｒ２    ＭＯＳトランジスタ
【図１】
0005170178.tif 000002
【図２】
0005170178.tif 000003